(57)【要約】【課題】マルチディスプレイ装置を構成する際の設置作業時に表示パネルが破損することを未然に防ぐ表示パネルを提供する。【解決手段】表示パネル２００は、前面の周辺部に帯状の緩衝材からなる保護部材が剥離可能に貼着されている。保護部材は、表示パネルの両側端側に貼着される第１の保護部材３１０と、表示パネルの上下側に貼着される第２の保護部材３２０とを備える。表示パネルを設置するに当たっては、保護部材を貼着した表示パネルを並置してタイル状に配置し、並置した表示パネルから保護部材を取り外す。【選択図】図６
2017203860.tif 000002
【特許請求の範囲】
【請求項１】
前面の周辺部に帯状の緩衝材からなる保護部材が剥離可能に貼着されている表示パネル。
【請求項２】
前記保護部材は、表示パネルの両側端側に貼着される第１の保護部材と、前記表示パネルの上下側に貼着される第２の保護部材とを備える、請求項１に記載の表示パネル。
【請求項３】
前記第１の保護部材の一方の側端面と、前記表示パネルの側面とは面一になっており、
前記第２の保護部材の側端面と、前記表示パネルの側面とは面一になっており、前記第２の保護部材の上端面には、前記表示パネルの上面から突出する複数の凸部が形成されている、請求項２に記載の表示パネル。
【請求項４】
前面の周辺部に帯状の緩衝材からなる保護部材が剥離可能に貼着されている表示パネルを並置してタイル状に配置し、前記配置した表示パネルから前記保護部材を取り外すようにした、表示パネルの設置方法。
【発明の詳細な説明】
【技術分野】
【０００１】
本開示は、マルチディスプレイ装置に使用される表示パネル、及び表示パネルの設置方法に関する。
【背景技術】
【０００２】
特許文献１は、マルチディスプレイ装置における額縁を可及的に目立たなくさせるとともに、保護パネルを保持する機能を有する額縁被覆部材を開示する。
【先行技術文献】
【特許文献】
【０００３】
【特許文献１】特開２０１２−２５２２３１号公報
【発明の概要】
【発明が解決しようとする課題】
【０００４】
本開示は、保護部材を、マルチディスプレイ装置を構成する表示パネルに使用することにより、マルチディスプレイ装置を構成する際の設置作業時に表示パネルが破損することを未然に防ぐ。
【課題を解決するための手段】
【０００５】
本開示の表示パネルは、前面の周辺部に帯状の緩衝材からなる保護部材が剥離可能に貼着されている。
【０００６】
また、本開示の表示パネルの設置方法は、前面の周辺部に帯状の緩衝材からなる保護部材が剥離可能に貼着されている表示パネルを並置してタイル状に配置し、並置した表示パネルから保護部材を取り外すようにした。
【発明の効果】
【０００７】
本開示における保護部材を、マルチディスプレイ装置を構成する表示パネルに使用すれば、マルチディスプレイ装置を構成する際の設置作業時に表示パネルを破損することを未然に防ぐことができる。
【図面の簡単な説明】
【０００８】
【図１】マルチディスプレイ装置の外観斜視図
【図２】マルチディスプレイ装置の組み立て時の状況を説明するための図
【図３】実施の形態で使用される表示パネルの斜視図
【図４】実施の形態の第１の保護部材を示す図
【図５】実施の形態の第２の保護部材を示す図
【図６】実施の形態の保護部材を表示パネルへ取付ける前の状態を示す斜視図
【図７】実施の形態の保護部材を表示パネルへの取り付けを説明するための斜視図
【図８】実施の形態の保護部材を表示パネルに取り付けた状態の斜視図
【図９】実施の形態の保護部材と表示パネルの要部を拡大して示す図
【図１０】実施の形態の表示パネルの設置方法を説明するための図
【図１１】実施の形態の表示パネルの設置方法を説明するための図
【図１２】実施の形態の表示パネルの設置方法を説明するための図
【図１３】実施の形態の表示パネルの設置方法を説明するための図
【図１４】実施の形態の表示パネルの設置方法を説明するための図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
（実施の形態）
以下、図１〜１４を用いて、実施の形態を説明する。
【００１２】
［１．表示パネルの構成］
図１は、マルチディスプレイ装置１０の一例の外観斜視図を示している。マルチディスプレイ装置１０は、複数の表示パネル１１をタイル状に配置することにより構成される。図１の例では、垂直方向に３つ、水平方向に３つの合計９つの表示パネルが配置されている。
【００１３】
最近では、特にビデオウォールと称される、狭額縁の表示パネルで構成されたマルチディスプレイ装置が普及しており、ガラス製の保護パネルが、パネルの周囲の狭額縁上にまで配置される構成となっている。
【００１４】
このようなビデオウォールで使用される表示パネルは、隙間なく配置するように設置されるので、図２に示すように設置済みの表示パネル１１ａの横に、他の表示パネル１１ｂを矢印方向に運んで配置しようとしたとき、表示パネル１１ａの前面の保護ガラス面に表示パネル１１ｂの裏面側の金属製の保護カバーが当たり、表示パネル１１ａの保護ガラスが破損する恐れがある。
【００１５】
このため本開示では、以下に詳述する構成により設置作業時におけるパネルの破損を未然に防ぐ工夫をしている。
【００１６】
図３は、実施の形態で使用される表示パネルの斜視図であって、表示パネル２００は、保護ガラス２０１が、表示パネル前面の周縁にある狭額縁（不図示）まで覆う大きさとなっている。表示パネルの裏面側は、金属製のバックカバー、各種の取付け具等が設けられている。図３では設置時に表示パネルを吊り下げるための吊り下げ金具が取り付けられる金具取付け部２０２が設けられているのが図示されている。
【００１７】
本実施の形態では、保護部材は第１の保護部材と第２の保護部材の２種類の保護部材都から構成される。図４は、本実施の形態の保護部材のうちの第１の保護部材を示す図であって、同図（ａ）は正面図、同図（ｂ）は側面図。同図（ｃ）は平面図である。図５は、本実施の形態の保護部材のうちの第２の保護部材を示す図であって、同図（ａ）は正面図、同図（ｂ）は側面図。同図（ｃ）は底面側から見た平面図である。
【００１８】
第１の保護部材３１０は、矩形の長い帯状をした厚さが５ｍｍ程度、幅が３ｃｍ程度の緩衝材からなる。この緩衝材の材質としては、例えばウレタン、シリコン、ゴム等が使用できる。また、この第１の保護部材の背面側には、表示パネルの保護ガラス面に貼着させるための貼着面３１１が形成されている。この貼着面３１１は、第１の保護部材を表示パネルの保護ガラスに貼着させた後にでも、容易に剥離可能に粘着加工されている。
【００１９】
第２の保護部材３２０も、矩形の長い帯状をした厚さが５ｍｍ程度、幅が３ｃｍの緩衝材からなり、この緩衝材の材質としては、第１の保護部材と同じ材質が使用できる。この第２の保護部材３２０の背面側にも、表示パネルの保護ガラス面に貼着させるための貼着面３３０が形成されている。この貼着面３３０は、第２の保護部材３２０を表示パネルに貼着させた後にでも、容易に剥離可能に加工されている。この第２の保護部材３２０では、その一方の上端面側の左右、及び中央には凸部３２１、３２３、３２２が形成されている。本実施の形態では、凸部は３つ設けられているが、これに限定されず、３つよりも多くても良い。
【００２０】
図６は実施の形態の保護部材を表示パネルへ取付ける前の状態を示す斜視図であって、この図では、左右一対の第１の保護部材３１０と、上下一対の第２の保護部材３２０が、表示パネルの前面の周辺部をカバーするようにロ字型に配置されているが、パネルへの貼着は、例えば、第２の保護部材３２０がパネルの上下の縁部に貼着されたのち、第１の保護部材３１０が左右の縁部に貼着される。
【００２１】
図７は実施の形態の保護部材を表示パネルへの取り付けを説明するための斜視図であって、同図（ａ）は保護部材が未貼着状態の斜視図、同図（ｂ）は保護部材が貼着された状態の斜視図である。また、図８は実施の形態の保護部材を表示パネルに取り付けた状態の斜視図であって、同図（ａ）は前面から見た斜視図、同図（ｂ）は背面から見た斜視図である。
【００２２】
これらの図から分かるように、第１の保護部材３１０と第２の保護部材３２０からなる保護部材はパネルの前面の周辺部に配置されて貼着される。
【００２３】
表示パネル２００の裏面側には、金属製の第１のバックカバー２０３と、第２のバックカバー２０４が施されている。この第１のバックカバー２０３は、液晶パネルそのものを保護するカバーであり、箱型をした第２のバックカバー２０４は液晶パネルの他、液晶パネルを駆動する駆動回路部やその他の制御回路部、電源回路部等を覆うカバーである。
【００２４】
第２のバックカバー２０４には、表示パネルを設置場所に運ぶときのための、Ｌ字型をした取っ手２０５が設けられている。
【００２５】
図９は第１の保護部材３１０と、第２の保護部材３２０の貼着状態を詳細に見るための図であって、同図（ａ）は保護部材が取り付けられた状態の斜視図、同図（ｂ）は同図（ａ）の表示パネルの右上コーナ部の拡大図、同図（ｃ）は同図（ａ）の表示パネルの左上コーナ部の拡大図である。
【００２６】
この図からも分かるように、第１の保護部材３１０の一方の側端面３１２と、表示パネル２００の側面２１０とは面一になっている。また、表示パネルの上辺側に貼着される第２の保護部材３２０の両方の側端面３２５と、表示パネルの両方の側面２１０とは面一になっている。そして、第２の保護部材３２０の一方の上端面３２６には、表示パネルの上面２１１から突出する凸部３２１〜３２３が形成されており、これら凸部以外の上端面３２６と表示パネルの上面２１１とは面一になっている。
【００２７】
一方、表示パネルの下辺側に貼着される第２の保護部材３２０の両方の側端面３２５と、表示パネルの側面２１０とは面一になっており、第２の保護部材３２０の下端面３２７と表示パネルの下面２１２とは面一となっている。
【００２８】
表示パネルをタイル状に組み立てるときに、第２段目以降の表示パネルは、第１段目の表示パネルに対して、上方向から下方向に移動させて配置する。このときの移動時の位置ずれによって、第１段目の表示パネルの保護ガラスに、第２段目の表示パネルのバックカバーが急激に衝突すると破損する。しかしながら、第２の保護部材に凸部を設けているので、第２の保護部材の凸部に表示パネルが当たると、凸部が潰れて変形し衝撃を吸収する。これによって表示パネルの破損を防ぐことが出来る。
【００２９】
［２．表示パネルの設置方法］
図１０〜図１４は、本実施の形態の表示パネルをビデオウォールとして組み立てるときの設置方法を説明するための図である。
【００３０】
ビデオウォールとして組み立てるに当たっては、表示パネルを取り付ける取付け枠５００が設置される。本実施の形態では、横に２つ、縦に２つの合計４つの表示パネルでウォールを構成する場合について説明する。
【００３１】
まず、図１０に示すように表示パネル２００ａを吊り下げながら矢印Ａ方向に運搬して取付け枠５００の下段の桟５０１に取り付ける。表示パネルの吊り下げは、金具取付け部２０２に吊り下げ金具を取り付けて、図示しない運搬装置を設置者が操作することによって行われる。
【００３２】
次に表示パネル２００ｂを、図１０に示すように表示パネル２００ａの右横に並置されるよう吊り下げながら矢印Ｂ方向に移動させ、取付け枠５００の下段の桟５０１に取り付ける。設置に当たっては、表示パネル２００ａと表示パネル２００ｂの隙間が可及的に少なくなるように水平方向の位置決めをしてから表示パネルを矢印Ｂ方向に移動させる。このとき、多少左に表示パネルを寄せ過ぎて、表示パネル２００ａと表示パネル２００ｂが接触する事態が生じても第１の保護部材３１０によって表示パネル２００ａの保護ガラスが保護され破損することはない。
【００３３】
取付け枠５００の下段の桟５０１に２つの表示パネルが取り付けられると、今度は、図１１に示すように表示パネル２００ｃを吊り下げながら、表示パネル２００ａの上側から矢印Ｃ方向に徐々に下降させて表示パネル２００ａの上に積み上げるように上段の桟５０２に設置する。このとき、表示パネル２００ａの第２の保護部材３２０の凸部３２１〜３２３が表示パネルの第２の保護部材３２０の下端面３２７に当接して潰れることにより、表示パネル２００ｃの表示パネル２００ａへの設置時における衝撃を和らげることができる。
【００３４】
次に、図１２に示すように４番目の表示パネル２００ｄを吊り下げながら、表示パネル２００ｂの上側から矢印Ｄ方向に徐々に下降させて表示パネル２００ｂの上に積み上げるように設置する。このとき、表示パネル２００ｂの第２の保護部材３２０の凸部３２１〜３２３が表示パネル２００ｄの第２の保護部材３２０の下端面３２７に当接して潰れることにより、表示パネル２００ｄの表示パネル２００ｂへの設置時における衝撃を和らげることができる。また、表示パネル２００ｄを下降させるとき水平方向の位置が、左方向に多少ずれていても、表示パネル２００ｃの第２の保護部材３２０の凸部３２１が表示パネル２００ｄの下面２１２に当接することにより、表示パネル２００ｃの保護もできる。
【００３５】
このようにして、４つの表示パネルを並置して図１３のようにタイル状に配置することが完了すると、各表示パネルの保護部材を取り外し（剥離し）、図１４のようにビデオウォールとして完成する。
【００３６】
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００３７】
なお、上述の実施の形態は、本開示における技術を例示するためのものであるから、特許請求の範囲またはその均等の範囲において種々の変更、置き換え、付加、省略などを行うことができる。
【産業上の利用可能性】
【００３８】
本開示は、マルチディスプレイ装置を構成する表示パネルに適用可能である。
【符号の説明】
【００３９】
１０  マルチディスプレイ装置
１１、１１ａ、１１ｂ  表示パネル
２００、２００ａ、２００ｂ、２００ｃ、２００ｄ  表示パネル
２０１  保護ガラス
２０２  金具取付け部
２０３  第１のバックカバー
２０４  第２のバックカバー
２０５  取っ手
２１０  側面
２１１  上面
２１２  下面
３１０  第１の保護部材
３１１  貼着面
３１２  側端面
３２０  第２の保護部材
３２１、３２２、３２３  凸部
３２５  側端面
３２６  上端面
３２７  下端面
３３０  貼着面
５００  取付け枠
５０１、５０２  桟
【図１】
2017203860.tif 000003
【図２】
2017203860.tif 000004
【図３】
2017203860.tif 000005
【図４】
2017203860.tif 000006
【図５】
2017203860.tif 000007
【図６】
2017203860.tif 000008
【図７】
2017203860.tif 000009
【図８】
2017203860.tif 000010
【図９】
2017203860.tif 000011
【図１０】
2017203860.tif 000012
【図１１】
2017203860.tif 000013
【図１２】
2017203860.tif 000014
【図１３】
2017203860.tif 000015
【図１４】
2017203860.tif 000016